(57)【要約】【課題】  少ないレンズ枚数でありながら、非球面を有効に用いることにより、高性能で、かつ極めてコンパクトなレンズ系を実現する。【解決手段】  物体側より順に、絞りＳｔと、両面非球面形状の第１レンズＧ１および第２レンズＧ２とを備え、かつ条件式（１），（２）を満足する。第１レンズＧ１は、物体側の面を凸面形状とした正のメニスカス形状であり、第２レンズＧ２は、近軸近傍において物体側に凸面を向けた正のメニスカス形状となっている。  ０．２０＜Ｒ１／ｆ＜０．７０  ……（１）  ０．０５＜Ｄ２／ｆ１＜０．３  ……（２）  ｆはレンズ系全体の近軸焦点距離、ｆ１は第１レンズＧ１の近軸焦点距離、Ｄ２は光軸上における第１レンズＧ１と第２レンズＧ２とのレンズ間隔、Ｒ１は第１レンズＧ１の物体側の面の近軸曲率半径を示す。【選択図】      図１
2005107254.tif 000002
【特許請求の範囲】
【請求項１】
物体側より順に、
絞りと、
両面を非球面形状とし、かつ物体側の面を凸面形状とした正のパワーを有するメニスカス形状の第１レンズと、
両面を非球面形状とし、かつ近軸近傍において物体側に凸面を向けた正のパワーを有するメニスカス形状の第２レンズと
を備え、
かつ、以下の条件式（１），（２）を満足するように構成されている
ことを特徴とする単焦点レンズ。
０．２０＜Ｒ１／ｆ＜０．７０  ……（１）
０．０５＜Ｄ２／ｆ１＜０．３  ……（２）
ただし、
ｆ：レンズ系全体の近軸焦点距離
ｆ１：第１レンズの近軸焦点距離
Ｄ２：光軸上における第１レンズと第２レンズとのレンズ間隔
Ｒ１：第１レンズの物体側の面の近軸曲率半径
【請求項２】
さらに、以下の条件式（３）を満足するように構成されている
ことを特徴とする請求項１に記載の単焦点レンズ。
０．７０＜ΔＺＦ／ΔＺＲ＜１．２０  ……（３）
ただし、
ΔＺＦ：第１レンズの物体側の面における、最大有効光線高さＨＦでの光軸方向の形状変位量
ΔＺＲ：第１レンズの像側の面における、最大有効光線高さＨＲでの光軸方向の形状変位量
【請求項３】
前記第１レンズおよび前記第２レンズのレンズ材が共に、プラスチック材料である
ことを特徴とする請求項１または２に記載の単焦点レンズ。
【発明の詳細な説明】
【技術分野】
【０００１】
本発明は、例えばカメラ付き携帯電話やＰＤＡ（Personal Digital Assistant）等の小型の情報端末機器への搭載に適した単焦点レンズに関する。
【背景技術】
【０００２】
近年、パーソナルコンピュータの一般家庭等への普及に伴い、撮影した風景や人物像等の画像情報をパーソナルコンピュータに入力することができるデジタルスチルカメラ（以下、単にデジタルカメラという。）が急速に普及しつつある。また携帯電話の高機能化に伴い、小型の撮像モジュールを搭載したカメラ付き携帯電話も急速に普及してきている。その他、ＰＤＡ等の小型の情報端末機器においても撮像モジュールを搭載したものが普及してきている。
【０００３】
これらの撮像機能を備えた機器では、ＣＣＤ（Charge Coupled Device：電荷結合素子）やＣＭＯＳ（Complementary Metal Oxide Semiconductor）などの撮像素子が用いられている。これらの撮像素子は近年、非常に小型化が進んでいる。そのため、ＣＣＤなどの撮像素子を用いた撮像機器において、機器本体、ならびにそれに搭載されるレンズにも、小型軽量化が求められている。また近年では、高画質を達成するために、画素数の多い撮像素子が開発されており、それに伴いレンズ系にも、より高解像で高コントラストな性能が要求されてきている。
【０００４】
このような撮像機器に用いられる撮像レンズとしては、例えば以下の特許文献１に記載のものがある。この特許文献１には、２枚構成の撮像レンズが記載されている。
【特許文献１】特開２０００−２５８６８４号公報
【発明の開示】
【発明が解決しようとする課題】
【０００５】
上述したように近年の撮像素子は、小型化および高画素化が進んでおり、それに伴って、特にデジタルカメラ用の撮像レンズには、高い解像性能と構成のコンパクト化が求められている。一方、カメラ付き携帯電話等の小型の情報端末機器用の撮像レンズには従来、コスト面とコンパクト性が主に要求されていたが、最近ではカメラ付き携帯電話等においても撮像素子の高画素化が進む傾向にあり、例えば１００万画素以上のメガピクセル対応のものが実用化され、性能面に対する要求も高くなってきている。このため、コスト面、性能面、およびコンパクト性を総合的に考慮した多種多様なレンズの開発が望まれている。
【０００６】
高画素に対応した小型の情報端末機器用の撮像レンズとしては従来、例えばガラスレンズ１枚とプラスチックレンズ２枚とからなる３枚構成のレンズ系や、プラスチックレンズを３枚以上用いたレンズ系などが開発されている。しかしながら、近年の小型化の要求に応えるためには３枚よりも少ないレンズ枚数で、かつ性能面でも従来と同等のものが望まれている。
【０００７】
上記特許文献記載のレンズは、２枚構成で非球面を用いたレンズ構成となっているが、これよりもさらにコンパクトで高性能なレンズ系の開発が望まれる。特に小型の撮像素子を用いる場合、倍率色収差が目立ちやすくなるので、そのレンズ系として倍率色収差が良好に補正されたものが望まれる。
【０００８】
本発明はかかる問題点に鑑みてなされたもので、その目的は、少ないレンズ枚数でありながら、非球面を有効に用いることにより、高性能で、かつ極めてコンパクトなレンズ系を実現できる単焦点レンズを提供することにある。
【課題を解決するための手段】
【０００９】
本発明による単焦点レンズは、物体側より順に、絞りと、両面を非球面形状とし、かつ物体側の面を凸面形状とした正のパワーを有するメニスカス形状の第１レンズと、両面を非球面形状とし、かつ近軸近傍において物体側に凸面を向けた正のパワーを有するメニスカス形状の第２レンズとを備え、かつ、以下の条件式（１），（２）を満足するように構成されているものである。
【００１０】
０．２０＜Ｒ１／ｆ＜０．７０  ……（１）
０．０５＜Ｄ２／ｆ１＜０．３  ……（２）
ただし、ｆはレンズ系全体の近軸焦点距離、ｆ１は第１レンズの近軸焦点距離、Ｄ２は光軸上における第１レンズと第２レンズとのレンズ間隔、Ｒ１は第１レンズの物体側の面の近軸曲率半径を示している。
【００１１】
本発明による単焦点レンズでは、絞りを最も物体側に配設し、続いて両面非球面形状の第１レンズと第２レンズとを物体側から順に配設し、かつ、第１レンズの焦点距離や形状などに関する所定の条件式（１），（２）を満たして各レンズの形状、パワー配分などを適切なものにすることで、２枚という極めて少ないレンズ枚数でありながらも、非球面を有効に用い、従来のカメラ付き携帯電話等に用いられている一般的な３枚構成のレンズと同等の高い光学性能が得られる。また、従来よりも極めてコンパクトなレンズ系が実現される。
【００１２】
ここで、この単焦点レンズはさらに、以下の条件式（３）を満足するように構成されていることが好ましい。この条件を満足することで特に倍率色収差の補正に有利となる。
０．７０＜ΔＺＦ／ΔＺＲ＜１．２０  ……（３）
ただし、ΔＺＦは第１レンズの物体側の面における、最大有効光線高さＨＦでの光軸方向の形状変位量、ΔＺＲは第１レンズの像側の面における、最大有効光線高さＨＲでの光軸方向の形状変位量を示している。
【００１３】
また、この単焦点レンズにおいて、第１レンズおよび第２レンズのレンズ材は共に、プラスチック材料であることが好ましい。プラスチック材料を用いることで、非球面加工をしやすくなる。
【００１４】
これらの好ましい構成を必要に応じて適宜採用することで、より高性能、かつコンパクトなレンズ系が実現される。
【発明の効果】
【００１５】
本発明の単焦点レンズによれば、絞りを最も物体側に配設し、続いて両面非球面形状の第１レンズと第２レンズとを物体側から順に配設し、かつ、第１レンズの焦点距離や形状などに関する所定の条件式（１），（２）を満たして各レンズの形状、パワー配分などを最適化するようにしたので、少ないレンズ枚数でありながら、非球面を有効に用いることにより、高性能で、かつ極めてコンパクトなレンズ系を実現できる。
【００１６】
特に、第１レンズの形状を条件式（３）を満足するように構成した場合には、倍率色収差の補正をしやすくなるので、より高性能、かつコンパクトなレンズ系を実現できる。
【発明を実施するための最良の形態】
【００１７】
以下、本発明の実施の形態について図面を参照して詳細に説明する。
【００１８】
図１は、本発明の一実施の形態に係る単焦点レンズの構成例を示している。この構成例は、後述の第１の数値実施例（表１，表２）のレンズ構成に対応している。また、図２は、本実施の形態に係る単焦点レンズの他の構成例を示している。図２の構成例は、後述の第２の数値実施例（表３，表４）のレンズ構成に対応している。なお、図１，図２において、符号Ｒｉは、絞りＳｔを０番目、最も物体側のレンズ要素の面を１番目として、像側（結像側）に向かうに従い順次増加するようにして符号を付したｉ番目（ｉ＝０〜６）の面の曲率半径を示す。符号Ｄｉは、ｉ番目の面とｉ＋１番目の面との光軸Ｚ１上の面間隔を示す。なお、各構成例共に基本的な構成は同じなので、以下では、図１に示した単焦点レンズの構成を基本にして説明する。
【００１９】
この単焦点レンズは、例えばカメラ付き携帯電話等の小型の情報端末機器やデジタルカメラ等、特に小型の撮像素子を用いた撮像機器に搭載されて使用されるものである。この単焦点レンズは、光軸Ｚ１に沿って、絞りＳｔ、第１レンズＧ１、および第２レンズＧ２が、物体側より順に配設された構成となっている。
【００２０】
この単焦点レンズの結像面（撮像面）には、図示しないＣＣＤなどの撮像素子が配置される。ＣＣＤの撮像面付近には、撮像面を保護するためのカバーガラスＣＧが配置されている。第２レンズＧ２と結像面（撮像面）との間には、カバーガラスＣＧのほか、赤外線カットフィルタやローパスフィルタなどの他の光学部材が配置されていても良い。
【００２１】
第１レンズＧ１は、両面が非球面形状であり、かつ物体側の面を凸面形状とした正のパワーを有するメニスカス形状となっている。
【００２２】
第２レンズＧ２は、両面が非球面形状であり、かつ近軸近傍において物体側に凸面を向けた正のパワーを有するメニスカス形状となっている。第２レンズＧ２の非球面形状は、例えば、有効径の範囲内で、像側の面が周辺に行くほど負のパワーが弱くなる非球面形状であることが望ましい。これにより、第２レンズＧ２は、例えば、像側の面が、近軸近傍では凹面形状で周辺部では凸面形状となっている。
【００２３】
なお、本実施の形態において、近軸近傍におけるレンズ形状は、例えば後述の非球面式（Ａ）において、係数Ｋに係る部分（係数Ａiに係る多項式部分を除いた部分）によって表される。
【００２４】
この単焦点レンズは、以下の条件式（１），（２）を満足するように構成されている。条件式（１），（２）において、ｆはレンズ系全体の近軸焦点距離、ｆ１は第１レンズＧ１の近軸焦点距離、Ｄ２は光軸上における第１レンズＧ１と第２レンズＧ２とのレンズ間隔、Ｒ１は第１レンズＧ１の物体側の面の近軸曲率半径を示している。
０．２０＜Ｒ１／ｆ＜０．７０  ……（１）
０．０５＜Ｄ２／ｆ１＜０．３  ……（２）
【００２５】
この単焦点レンズはさらに、以下の条件式（３）を満足するように構成されていることが好ましい。
０．７０＜ΔＺＦ／ΔＺＲ＜１．２０  ……（３）
【００２６】
ここで、ΔＺＦは、図３に示したように、第１レンズＧ１の物体側の面における高さＨＦでの光軸方向の形状変位量を示す。ΔＺＲは、第１レンズＧ１の像側の面における高さＨＲでの光軸方向の形状変位量を示している。高さＨＦは、第１レンズＧ１の物体側の面を有効光線が通過する最大高さであり、高さＨＲは、第１レンズＧ１の像側の面を有効光線が通過する最大高さである。
【００２７】
この単焦点レンズは、第１レンズＧ１および第２レンズＧ２の両面が非球面形状であるため、加工性の点で、第１レンズＧ１および第２レンズＧ２のレンズ材が共に、プラスチック材料であることが望ましい。
【００２８】
次に、以上のように構成された単焦点レンズの作用および効果を説明する。
【００２９】
この単焦点レンズでは、絞りＳｔを最も物体側に配設し、続いて両面非球面形状の第１レンズＧ１と第２レンズＧ２とを物体側から順に配設し、かつ、第１レンズＧ１の焦点距離や形状などに関する所定の条件式（１），（２）を満たして各レンズの形状、パワー配分などを適切なものにすることで、２枚という極めて少ないレンズ枚数でありながらも、非球面を有効に用い、高性能で、かつ極めてコンパクトなレンズ系を実現できる。さらに条件式（３）を満足することで、より高性能化を実現できる。
【００３０】
各条件式の作用は以下のとおりである。条件式（１）は、第１レンズＧ１の物体側の面の曲率半径に関するもので、この数値範囲を外れると、特にコマ収差および倍率色収差の補正が困難となるので好ましくない。条件式（２）は、光軸上における第１レンズＧ１と第２レンズＧ２とのレンズ間隔Ｄ２と、第１レンズＧ１の近軸焦点距離ｆ１に関するもので、この数値範囲を外れると、全長を抑えつつ射出瞳距離を確保することが困難となるので好ましくない。条件式（３）は、第１レンズＧ１の面形状に関するもので、この数値範囲を外れると、倍率色収差の補正が困難となるので好ましくない。
【００３１】
このように、本実施の形態に係る単焦点レンズによれば、２枚という極めて少ないレンズ枚数で非球面を有効に用いることにより、従来のカメラ付き携帯電話等に用いられている一般的な３枚構成のレンズと同等の高い光学性能を得ることができる。また、従来よりも極めてコンパクトなレンズ系を実現できる。
【実施例】
【００３２】
次に、本実施の形態に係る単焦点レンズの具体的な数値実施例について説明する。以下では、第１および第２の数値実施例（実施例１，２）をまとめて説明する。表１，表２は、図１に示した単焦点レンズの構成に対応する具体的なレンズデータ（実施例１）を示している。また、表３，表４は、図２に示した単焦点レンズの構成に対応する具体的なレンズデータ（実施例２）を示している。表１および表３には、その実施例のレンズデータのうち基本的なデータ部分を示し、表２および表４には、その実施例のレンズデータのうち非球面形状に関するデータ部分を示す。
【００３３】
【表１】
2005107254.tif 000003
【００３４】
【表２】
2005107254.tif 000004
【００３５】
【表３】
2005107254.tif 000005
【００３６】
【表４】
2005107254.tif 000006
【００３７】
各表に示したレンズデータにおける面番号Ｓｉの欄には、各実施例の単焦点レンズについて、絞りＳｔを０番目、最も物体側のレンズ要素の面を１番目として、像側に向かうに従い順次増加するようにして符号を付したｉ番目（ｉ＝０〜６）の面の番号を示している。曲率半径Ｒｉの欄には、図１，図２で付した符号Ｒｉに対応させて、物体側からｉ番目の面の曲率半径の値を示す。面間隔Ｄｉの欄についても、図１，図２で付した符号に対応させて、物体側からｉ番目の面Ｓｉとｉ＋１番目の面Ｓｉ＋１との光軸上の間隔を示す。曲率半径Ｒｉおよび面間隔Ｄｉの値の単位はミリメートル（ｍｍ）である。Ｎdｊ，νdｊの欄には、それぞれ、カバーガラスＣＧも含めて、物体側からｊ番目（j＝１〜３）のレンズ要素のｄ線（５８７．６ｎｍ）に対する屈折率およびアッベ数の値を示す。なお、カバーガラスＣＧの両面の曲率半径Ｒ５，Ｒ６の値が０（ゼロ）となっているが、これは、平面であることを示す。また、絞りＳｔの曲率半径Ｒ０の値が０（ゼロ）となっているが、これは、仮想面であることを示す。
【００３８】
表１および表３にはまた、諸データとして、全系の近軸焦点距離ｆ（ｍｍ）、Ｆナンバー（ＦＮＯ．）、画角２ω（ω：半画角）の値を同時に示す。なお、各実施例の単焦点レンズは、撮像面を３５ｍｍフィルム換算で表したときに焦点距離ｆ＝３５ｍｍ相当の性能を有している。
【００３９】
表１および表３の各レンズデータにおいて、面番号の左側に付された記号「＊」は、そのレンズ面が非球面形状であることを示す。各実施例共に、第１レンズＧ１の両面Ｓ１，Ｓ２と、第２レンズＧ２の両面Ｓ３，Ｓ４とが非球面形状となっている。基本レンズデータには、これらの非球面の曲率半径として、光軸近傍（近軸近傍）の曲率半径の数値を示している。
【００４０】
表２および表４の各非球面データの数値において、記号“Ｅ”は、その次に続く数値が１０を底とした“べき指数”であることを示し、その１０を底とした指数関数で表される数値が“Ｅ”の前の数値に乗算されることを示す。例えば、「１．０Ｅ−０２」であれば、「１．０×１０-2」であることを示す。
【００４１】
各非球面データには、以下の式（Ａ）によって表される非球面形状の式における各係数Ａi，Ｋの値を記す。Ｚは、より詳しくは、光軸から高さｈの位置にある非球面上の点から、非球面の頂点の接平面（光軸に垂直な平面）に下ろした垂線の長さ（ｍｍ）を示す。
【００４２】
Ｚ＝Ｃ・ｈ2／｛１＋（１−Ｋ・Ｃ2・ｈ2）1/2｝＋Ａ3・ｈ3＋Ａ4・ｈ4＋Ａ5・ｈ5＋Ａ6・ｈ6＋Ａ7・ｈ7＋Ａ8・ｈ8＋Ａ9・ｈ9＋Ａ10・ｈ10＋Ａ11・ｈ11  ……（Ａ）
ただし、
Ｚ：非球面の深さ（ｍｍ）
ｈ：光軸からレンズ面までの距離（高さ）（ｍｍ）
Ｋ：離心率
Ｃ：近軸曲率＝１／Ｒ
（Ｒ：近軸曲率半径）
Ａi：第ｉ次（ｉ＝３〜１１）の非球面係数
【００４３】
各実施例共に、第１レンズＧ１の両面Ｓ１，Ｓ２の非球面形状が、非球面係数として、偶数次の係数Ａ4，Ａ6，Ａ8，Ａ10のみならず、奇数次の非球面係数Ａ3，Ａ7，Ａ9，Ａ11をも有効に用いて表されている。また、第２レンズＧ２の両面Ｓ３，Ｓ４の非球面形状が、非球面係数として、偶数次の係数Ａ4，Ａ6，Ａ8，Ａ10のみならず、奇数次の非球面係数Ａ3，Ａ7，Ａ9をも有効に用いて表されている。
【００４４】
また、以下の表５に、上述の条件式（１）〜（３）に関する値を、各実施例についてまとめたものを示す。表５に示したように、各実施例の値が、各条件式（１）〜（３）の数値範囲内となっている。
【００４５】
【表５】
2005107254.tif 000007
【００４６】
図４（Ａ）〜（Ｄ）は、実施例１の単焦点レンズにおける球面収差、非点収差、ディストーション（歪曲収差）、および倍率色収差を示している。各収差図には、ｄ線を基準波長とした収差を示すが、球面収差図および倍率色収差図には、ｇ線（波長４３５．８ｎｍ），Ｃ線（波長６５６．３ｎｍ）についての収差も示す。非点収差図において、実線はサジタル方向、破線はタンジェンシャル方向の収差を示す。ωは、半画角を示す。同様に、実施例２についての諸収差を図５（Ａ）〜（Ｄ）に示す。
【００４７】
以上の各数値データおよび各収差図から分かるように、各実施例について、少ないレンズ枚数でありながら、良好に収差補正がなされ、極めてコンパクトなレンズ系が実現されている。
【００４８】
なお、本発明は、上記実施の形態および各実施例に限定されず種々の変形実施が可能である。例えば、各レンズ成分の曲率半径、面間隔および屈折率の値などは、上記各数値実施例で示した値に限定されず、他の値をとり得る。
【図面の簡単な説明】
【００４９】
【図１】本発明の一実施の形態に係る単焦点レンズの構成例を示すものであり、実施例１に対応するレンズ断面図である。
【図２】本発明の一実施の形態に係る単焦点レンズの他の構成例を示すものであり、実施例２に対応するレンズ断面図である。
【図３】本発明の一実施の形態に係る単焦点レンズにおける第１レンズの形状についての説明図である。
【図４】実施例１に係る単焦点レンズの球面収差、非点収差、ディストーション、および倍率色収差を示す収差図である。
【図５】実施例２に係る単焦点レンズの球面収差、非点収差、ディストーション、および倍率色収差を示す収差図である。
【符号の説明】
【００５０】
ＣＧ…カバーガラス、Ｓｔ…絞り、Ｇｊ…物体側から第ｊ番目のレンズ、Ｒｉ…物体側から第ｉ番目のレンズ面の曲率半径、Ｄｉ…物体側から第ｉ番目と第ｉ＋１番目のレンズ面との面間隔、Ｚ１…光軸。
【図１】
2005107254.tif 000008
【図２】
2005107254.tif 000009
【図３】
2005107254.tif 000010
【図４】
2005107254.tif 000011
【図５】
2005107254.tif 000012